(57)【要約】【課題】カードアダプタの、カードコネクタ本体への上下逆向きの姿勢での挿込みが確実に防止されたカードコネクタを提供する。【解決手段】カードコネクタ１００は、カードアダプタ１０と、カードコネクタ本体３０とを備えている。カードアダプタ１０はカード２０を受容する。また、カードコネクタ本体３０は、カード２０を受容した状態のカードアダプタ１０が挿し込まれるアダプタ挿込開口３４を有する。カードアダプタ１０は、アダプタ挿込開口３４への挿込みの向きとは交わる幅方向一方の端部側に、段差１８を境にして厚みを減じ挿込みの向きに延びた薄肉部１９を有する。そして、アダプタ挿込開口３４は、段差１８に対応する段部３４１、および、段部３４１を境にして開口の高さを減じた、薄肉部１９に対応する狭開口部３４２を有する形状の開口である。【選択図】図５
2018206634.tif 000002
【特許請求の範囲】
【請求項１】
カードを受容するカード受容部を有するカードアダプタと、
前記カード受容部にカードを受容した状態の前記カードアダプタが挿し込まれるアダプタ挿込開口を有するカードコネクタ本体と備え、
前記カードアダプタが、前記アダプタ挿込開口への挿込みの向きとは交わる幅方向一方の端部側に、段差を境にして厚みを減じ該挿込みの向きに延びた薄肉部を有し、
前記アダプタ挿込開口が、前記段差に対応する段部、および、該段部を境にして開口の高さを減じた、前記薄肉部に対応する狭開口部を有する形状の開口であることを特徴とするカードコネクタ。
【請求項２】
前記カードコネクタ本体が、ハウジングと、該ハウジングとの間に前記アダプタ挿込開口を形成して該ハウジングを覆うシェルとを備え、
前記段部が、前記シェルに設けられていることを特徴とする請求項１に記載のカードコネクタ。
【請求項３】
前記カードアダプタが、第１面に接続パッドが形成された第１のカードが装着され、該第１のカードよりも寸法が大きい第２のカードが挿し込まれるカードコネクタに、装着された該第１のカードとともに挿し込まれるカードアダプタであって、
前記カード受容部が、底面を有する窪み形状を有し、前記第１のカードの前記第１面に対する裏面である第２面を該底面側に対面させた姿勢に該第１のカードを受容し、
前記カードアダプタがさらに、
前記カード受容部に受容された前記第１のカードの前記第１面の、前記カードコネクタへの挿込みの向きとは交わる幅方向両側の縁部を押えるカード保持部と、
前記カード受容部に受容された前記第１のカードの前記挿込みの向きの後端に係止して該第１のカードを位置決めするとともに、該カード受容部に受容された状態の該第１のカードが該挿込みの向きとは逆向きに所定の力を越えた力で押されたときに係止が外れる係止部とを備えたことを特徴とする請求項１または２に記載のカードコネクタ。
【請求項４】
前記カードアダプタがさらに、前記底面に設けられ、前記カード受容部に受容された前記第１のカードを該底面から持ち上げる向きに付勢する板ばねを備えたことを特徴とする請求項３に記載のカードコネクタ。
【請求項５】
前記カードアダプタが、前記カード受容部の、前記挿込みの向きの前端壁の少なくとも一部が、前記底面からの高さが前記第１のカードの厚みよりも低い高さに形成されていることを特徴とする請求項３または４に記載のカードコネクタ。
【請求項６】
前記カードアダプタが、樹脂ハウジングと金属板とからなり、少なくとも前記係止部が該金属板の一部で形成されていることを特徴とする請求項３から５のうちのいずれか１項に記載のカードコネクタ。
【発明の詳細な説明】
【技術分野】
【０００１】
本発明は、カードを受容するカードアダプタと、カードを受容したカードアダプタが挿し込まれるカードコネクタ本体とを有するカードコネクタに関する。
【背景技術】
【０００２】
カードアダプタにカードを受容させ、カードを受容した状態のカードアダプタをカードコネクタ本体に挿し込むタイプのカードコネクタが広く使用されている。
【０００３】
ここで、正規の挿込姿勢とは異なる、例えば上下が裏返しになった姿勢のカードアダプタがカードコネクタ本体に挿し込まれることを考える。この場合、カードは正常に作動せず、場合によっては挿込時にカードやカードコネクタの一部が破損するおそれがある。
【０００４】
カードを受容した状態のカードアダプタをカードコネクタ本体に挿し込むにあたっては、カードアダプタは、カードが落下しない姿勢に保たれる。このため、通常であれば、カードアダプタが上下裏返しになった姿勢で挿し込まれるおそれは小さい。このため、カードアダプタの場合、誤った姿勢での挿込みを防止する手段を設けないか、あるいは設けたとしても、挿込みの向きの先端部の一方の角部を斜めに削った形状とする程度の誤挿込防止手段しか備えていない。
【０００５】
しかしながら、この程度の誤挿込防止手段では、カードアダプタがカードコネクタ本体のかなり深い位置まで挿し込まれる。このため、ユーザが挿込完了と勘違いするおそれがある。また、強めに挿し込むと、さらに深い位置まで挿し込まれてカードアダプタやカードコネクタ本体のコンタクト等を破損させるおそれもある。
【０００６】
例えば、特許文献１には、カードが載置されるカードアダプタを備えたカードコネクタが開示されている。ただし、この特許文献１に開示されているカードコネクタにはカードアダプタの不正な姿勢での挿込みを阻止する手段は備えられていない。
【０００７】
ここで、カードコネクタ本体に対し、カードアダプタが上下裏返しの姿勢で挿し込まれるおそれのある事象の一例について説明する。
【０００８】
マイクロＳＩＭ（Ｓｕｂｓｃｒｉｂｅｒ  Ｉｄｅｎｔｉｔｙ  Ｍｏｄｕｌｅ：加入者識別モジュール）カード（３ＦＦカード）とナノＳＩＭカード（４ＦＦカード）とを比べると、マイクロＳＩＭカードの方が寸法が大きい。ただし、接続パッドは同じ位置に設けられていて、その役割りも同様である。この場合、電子機器にはマイクロＳＩＭカード用のカードコネクタを搭載し、ナノＳＩＭカードを使いたいというユーザにも対応できることが望ましい。
【０００９】
従来、電子機器のメーカにより保証された使用法ではないものの、外形的にはマイクロＳＩＭカードの寸法を有し、ナノＳＩＭカードを載せるトレイ状の窪みが形成されたアダプタが使用されることがあった。従来のこのようなアダプタの場合、ナノＳＩＭカードは、その接続パッドが形成されている第１面を上に向けた姿勢でアダプタに載せられる。このアダプタを上下逆向きにすると、載せたナノＳＩＭカードが落下してしまう。一方、カードコネクタ本体が搭載された電子機器の中には、ＳＩＭカードを、その第１面を下に向けた姿勢で着脱することが予定された電子機器も多い。そのような電子機器の場合、ナノＳＩＭカードを載せたアダプタをカードコネクタに着脱するにあたっては、電子機器の方を上下逆向きにする必要がある。このような場面では、カードアダプタとカードコネクタ本体との相対的な姿勢に混乱が生じ、上下逆向きの姿勢で挿し込まれるおそれが増大する。あるいは、電子機器を上下逆向きにする必要をなくすために、カードを載せた状態のカードアダプタを上下逆向きの姿勢にしてもカードが落下しない構造を備えたカードアダプタを開発したとする。この場合は、カードが落下する心配から解放されるため、カードアダプタの上下の向きに注意が払われずに、上下逆向きの姿勢のまま挿し込まれるおそれがさらに増大する。
【先行技術文献】
【特許文献】
【００１０】
【特許文献１】特開２０１５−０３６９４８号公報
【発明の概要】
【発明が解決しようとする課題】
【００１１】
本発明は、上記事情に鑑み、カードアダプタの、カードコネクタ本体への上下逆向きの姿勢での挿込みが確実に防止されたカードコネクタを提供することを目的とする。
【課題を解決するための手段】
【００１２】
上記目的を達成する本発明のカードコネクタは、
カードを受容するカード受容部を有するカードアダプタと、
カード受容部にカードを受容した状態のカードアダプタが挿し込まれるアダプタ挿込開口を有するカードコネクタ本体と備え、
上記カードアダプタが、アダプタ挿込開口への挿込の向きとは交わる幅方向一方の端部側に、段差を境にして厚みを減じ挿込みの向きに延びた薄肉部を有し、
上記アダプタ挿込開口が、上記段差に対応する段部、および、その段部を境にして開口の高さを減じた、上記薄肉部に対応する狭開口部を有する形状の開口であることを特徴とする。
【００１３】
本発明のカードコネクタによれば、上記の段差および段部、並びに、上記の薄肉部及び狭開口部が設けられているため、上下逆向きの姿勢にあるカードアダプタは、アダプタ挿込開口の入口で挿込みが阻止される。このため、カードアダプタの、カードコネクタ本体への不正な姿勢での挿込みが確実に防止される。
【００１４】
ここで、本発明のカードコネクタにおいて、カードコネクタ本体が、ハウジングと、そのハウジングとの間にアダプタ挿込開口を形成してハウジングを覆うシェルとを備え、上記段部が、シェルに設けられていることが好ましい。
【００１５】
シェルに段部を設けることで、その段部が補強リブの役割を担い、シェルの堅牢さを増すことができる。
【００１６】
また、本発明のカードコネクタにおいて、
上記のカードアダプタが、第１面に接続パッドが形成された第１のカードが装着され、第１のカードよりも寸法が大きい第２のカードが挿し込まれるカードコネクタに、装着された第１のカードとともに挿し込まれるカードアダプタであって、
上記のカード受容部が、底面を有する窪み形状を有し、第１のカードの第１面に対する裏面である第２面を底面に対面させた姿勢に第１のカードを受容するカード受容部であり、
上記のカードアダプタがさらに、
カード受容部に受容された第１のカードの第１面の、挿込みの向きとは交わる幅方向両側の縁部を押えるカード保持部と、
カード受容部に受容された第１のカードの挿込みの向きの後端に係止して第１のカードを位置決めするとともに、カード受容部に受容された状態の第１のカードが挿込みの向きとは逆向きに所定の力を越えた力で押されたときに係止が外れる係止部とを備えることが好ましい。
【００１７】
この構造のカードアダプタによれば、上記のカード保持部を備えているため、第１のカードが装着された状態のカードアダプタを上下逆向きにしても第１のカードの落下が防止される。さらに、このカードアダプタによれば、上記の係止部により面内方向について位置決めがなされる。また、その第１のカードを所定の力を越えた力で押すことにより、その係止部による係止を外し、第１のカードをカードアダプタから取り外すことができる。
【００１８】
ここで、上記のカードアダプタがさらに、底面に設けられ、カード受容部に受容された第１のカードを底面から持ち上げる向きに付勢する板ばねを備えることが好ましい。
【００１９】
この板ばねを備えると、その板ばねとカード保持部とにより、装着された第１のカードが厚み方向に位置決めされる。
【００２０】
また、上記のカードアダプタにおいて、カード受容部の、挿込みの向きの前端壁の少なくとも一部が、底面からの高さが第１のカードの厚みよりも低い高さに形成されていることが好ましい。
【００２１】
このような、前端壁が低いカードアダプタの場合、装着されている第１のカードの前端縁に爪や冶具等を掛けやすく、装着されている第１のカードの取外しが容易となる。
【００２２】
さらに、上記のカードアダプタが、樹脂ハウジングと金属板とからなり、少なくとも係止部が金属板の一部で形成されていることが好ましい態様である。その場合に、さらに、カード保持部が、金属板の一部で形成されていることが好ましく、また、上記の板ばねを備えた構成の場合は、その板ばねが、金属板の一部で形成されていることも好ましい態様である。
【００２３】
このような金属板を備えると、厚み寸法を減じ、かつ強靭なカードアダプタが構成される。
【発明の効果】
【００２４】
以上の本発明によれば、カードアダプタの、カードコネクタ本体への上下逆向きの姿勢での挿込みが確実に防止されたカードコネクタが実現する。
【図面の簡単な説明】
【００２５】
【図１】本発明の一実施形態としてのカードコネクタを構成するカードアダプタの斜視図である。
【図２】図１に示した姿勢から裏返した姿勢のカードアダプタの斜視図（Ａ）と、図２（Ａ）の矢印Ａ−Ａに沿う断面図（Ｂ）である。
【図３】図１とは異なる向きから眺めたときのカードアダプタの斜視図（Ａ）と、図３（Ａ）の円Ｒの部分の拡大図（Ｂ）である。
【図４】カードアダプタへのナノＳＩＭカードの着脱の様子を示した模式図である。
【図５】本発明の一実施形態としてのカードコネクタの斜視図である。
【図６】図５に示す矩形領域Ｄの部分の拡大図である。
【発明を実施するための形態】
【００２６】
以下、本発明の実施の形態について説明する。
【００２７】
以下に説明する本実施形態のカードコネクタは、カードアダプタとカードコネクタ本体とを備えている。ここでは先ず、そのカードコネクタを構成するカードアダプタの構造について説明し、その後、カードコネクタ本体を含めたカードコネクタについて説明する。
【００２８】
図１は、本発明の一実施形態としてのカードコネクタを構成するカードアダプタの斜視図である。ここで、図１（Ａ）は、カードアダプタのみの斜視図である。また、図１（Ｂ）は、ナノＳＩＭカードが装着された状態のカードアダプタの斜視図である。
【００２９】
このカードアダプタ１０には、ナノＳＩＭカード２０が装着される。このナノＳＩＭカード２０の、図１（Ｂ）における上を向いた第１面２１には、複数の接続パッド２２が形成されている。これらの接続パッド２２は、カードコネクタ本体３０（図５参照）に挿し込まれると、そのカードコネクタ本体３０のコンタクト３３に接触する。そして、それらの接続パッド２２は、接触したコンタクト３３を介してカードコネクタ本体３０が搭載された電子機器から電力の供給を受け、あるいは、電子機器との間で電気信号の受け渡しを行なう。
【００３０】
ここで、このカードアダプタ１０は、ナノＳＩＭカード２０よりも寸法が大きいマイクロＳＩＭカードの外形寸法と同じ外形寸法となっている。そして、このカードアダプタ１０は、ナノＳＩＭカード２０を装着したまま、マイクロＳＩＭカードに適合したカードコネクタに挿し込まれる。ここで、ナノＳＩＭカード２０は、本発明にいう第１のカードの一例に相当する。そして、マイクロＳＩＭカードは、本発明にいう第２のカードの一例に相当する。
【００３１】
このカードアダプタ１０は、ナノＳＩＭカード２０を受容するカード受容部１１を有する。このカード受容部１１は、底面１１１を有する窪み形状となっている。そして、このカード受容部１１には、ナノＳＩＭカード２０が、図１（Ｂ）に示す姿勢、すなわち、図１（Ｂ）にあらわれている第１面２１に対する裏面である第２面（不図示）を底面１１１に対面させた姿勢に受容される。
【００３２】
また、このカードアダプタ１０のカード受容部１１の底面１１１には、板ばね１２が設けられている。
【００３３】
図２は、図１に示した姿勢から裏返した姿勢のカードアダプタの斜視図（Ａ）と、図２（Ａ）の矢印Ａ−Ａに沿う断面図（Ｂ）である。
【００３４】
この図２には、ナノＳＩＭカード２０が装着された状態のカードアダプタ１０が示されている。
【００３５】
図２（Ｂ）に示すように、板ばね１２は、カード受容部１１の底面１１１から切り起こされた形状を有する。そして、この板ばね１２は、カード受容部１１に受容されたナノＳＩＭカード２０を、底面１１１から持ち上げる向き（図２（Ｂ）では右向き）に付勢する。
【００３６】
図１に戻って説明を続ける。
【００３７】
このカードアダプタ１０には、一対のカード保持部１３が設けられている。これらのカード保持部１３は、挿込みの向き（矢印Ｆの向き）と交わる幅方向両側からカード受容部１１の上に突き出るようにして、挿込みの向き（矢印Ｆの向き）に延びている。ただし、これらのカード保持部１３は、後述する、カードアダプタ１０へのナノＳＩＭカード２０の着脱を容易にするために、挿込みの向き（矢印Ｆの向き）の後端部までは延びておらず、ナノＳＩＭカード２０の後端部分はカード保持部１３から解放されている。
【００３８】
これらのカード保持部１３は、ナノＳＩＭカード２０がカード受容部１１に受容されて板ばね１２に持ち上げられると、ナノＳＩＭカード２０の第１面２１の幅方向両側の縁に当接する。これにより、厚めのナノＳＩＭカード２０あるいは薄めのナノＳＩＭカード２０のいずれであっても、その第１面２１の、ナノＳＩＭカード２０の厚み方向の位置は一義的に定まる。したがって、このナノＳＩＭカード２０を装着したカードアダプタ１０がカードコネクタ本体３０に装着されたときのコンタクト３３（図５参照）と接続パッド２２との接触圧が一定となり、信頼度の高い電気的接続が実現する。
【００３９】
また、カード受容部１１に受容されたナノＳＩＭカード２０は、底面１１１の板ばね１２とカード保持部１３とで挟まれている。このため、カードアダプタ１０を図２に示すように上下逆向きにしても、ナノＳＩＭカード２０は、カードアダプタ１０と一体化された状態が保たれ、カードアダプタ１０から脱落しない。したがって、カードアダプタ１０の、カードコネクタへの挿込みが容易となる。
【００４０】
さらに、このカードアダプタ１０は、挿込みの向き（矢印Ｆの向き）の後端部に係止部１４が設けられている。
【００４１】
図３は、図１とは異なる向きから眺めたときのカードアダプタの斜視図（Ａ）と、図３（Ａ）の円Ｒの部分の拡大図（Ｂ）である。
【００４２】
係止部１４は、図３（Ｂ）に示すように、ナノＳＩＭカード２０の挿込みの向き（矢印Ｆの向き）の後端面２３に当接して、ナノＳＩＭカード２０を位置決め及び係止する役割を担っている。ここで、この係止部１４の、ナノＳＩＭカード２０の後端面２３側を向いた面は斜面１４１となっている。このカードアダプタ１０に装着されたナノＳＩＭカード２０をこのカードアダプタ１０から取り外すときには、後述するようにして、ナノＳＩＭカード２０を挿込みの向き（矢印Ｆの向き）とは逆向きに押す。係止部１４のナノＳＩＭカード２０側を向いた面が斜面１４１となっているのは、カード受容部１１に向かって挿込みの向き（矢印Ｆの向き）に進行してきたナノＳＩＭカード２０をカード受容部１１に滑り込ませるためである。また、この面が斜面１４１となっているのは、ナノＳＩＭカード２０の取外しの際に、ナノＳＩＭカード２０を係止部１４に乗り上げさせるためでもある。ナノＳＩＭカード２０の、カードアダプタ１０への着脱の詳細については後述する。
【００４３】
再度、図１に戻って説明を続ける。
【００４４】
このカードアダプタ１０には、カード受容部１１の、挿込みの向き（矢印Ｆの向き）の前端壁の一部に、低壁部１５が形成されている。この低壁部１５は、底面１１１からの高さがナノＳＩＭカード２０の厚みよりも低くなっている。このため、カードアダプタ１０に装着されたナノＳＩＭカード２０をカードアダプタ１０から取り外すにあたり、ナノＳＩＭカード２０の前端面２４を爪や冶具で容易に押すことができる。
【００４５】
ここで、このカードアダプタ１０は、樹脂ハウジング１０Ａと金属板１０Ｂとのインサート成形で構成されている。そして、底面１１１、板ばね１２、カード保持部１３、および係止部１４は、金属板１０Ｂの各一部で構成されている。係止部１４は、以下において説明するカードアダプタ１０へのナノＳＩＭカード２０の着脱のために金属板１０Ｂの一部で構成される。これに対し、底面１１１、板ばね１２、およびカード保持部１３は、樹脂ハウジング１０Ａと一体の樹脂製とすることも考えられる。ただし、カードアダプタ１０の全体の厚みを抑え、かつ、必要な強度を維持するためには、これら底面１１１、板ばね１２、およびカード保持部１３も金属板１０Ｂの各一部で構成することが好ましい。カードアダプタ１０をこのように構成すると、部品点数も最少となる。
【００４６】
図４は、カードアダプタへのナノＳＩＭカードの着脱の様子を示した模式図である。
【００４７】
カードアダプタ１０にナノＳＩＭカード２０を装着するにあたっては、図４（Ａ）に示すように、ナノＳＩＭカード２０の接続パッド２２が形成されている第１面２１に対する裏面である第２面を底面１１１側に向ける。さらに、図４（Ａ）に示すように、ナノＳＩＭカード２０の、挿込みの向き（矢印Ｆの向き）の先端を底面１１１に近づけた斜めの姿勢とする。そして、挿込みの向き（矢印Ｆの向き）の後方から矢印Ｘで示す向きにナノＳＩＭカード２０をスライドさせ、ナノＳＩＭカード２０を、カード保持部１３の下に滑り込ませるようにして、底面１１１上に配置し、係止部１４に係止させる。こうすることにより、ナノＳＩＭカード２０がカード受容部１１に受容される。そして、カードアダプタ１０は、ナノＳＩＭカード２０を受容したまま、不図示の、マイクロＳＩＭカードが挿し込まれるカードコネクタに、マイクロＳＩＭカードに代えて挿し込まれる。
【００４８】
次に、カードアダプタ１０に装着されているナノＳＩＭカード２０をカードアダプタ１０から取り外す場面について説明する。
【００４９】
このときには、カードアダプタ１０の低壁部１５の領域で、ナノＳＩＭカード２０の前端面２４を、所定の保持力を越える力で矢印Ｙの向きに押す。すると、ナノＳＩＭカード２０の後端面２３と係止部１４との係止が外れ、ナノＳＩＭカード２０の後端部が係止部１４の斜面１４１に沿って持ち上がりながら、ナノＳＩＭカード２０が矢印Ｚの向きに移動する。このようにして、ナノＳＩＭカード２０がカードアダプタ１０から取り外される。
【００５０】
もう一度図１に戻って説明を続ける。
【００５１】
このカードアダプタ１０の挿込みの向きに交わる幅方向一方の端部側（図１では右側の端部側）には段差１８と、その段差１８を境にして厚みを減じ、矢印Ｆで示す挿込みの向きに延びた肉薄部１９を有する。この段差１８はカードアダプタ１０の両面に形成されている。なお、段差１８は、カードアダプタ１０の片面にのみ形成されていてもよい。これらの段差１８および肉薄部１９は、このカードアダプタ１０がカードコネクタ本体３０（図５参照）に上下逆向きの姿勢で挿し込まれるのを防止する機能を担っている。
【００５２】
図５は、本発明の一実施形態としてのカードコネクタの斜視図である。
【００５３】
また、図６は、図５に示す矩形領域Ｄの部分の拡大図である。
【００５４】
このカードコネクタ１００は、これまで説明してきたカードアダプタ１０と、そのカードアダプタ１０が挿し込まれるカードコネクタ本体３０とから構成されている。
【００５５】
カードアダプタ１０には、ナノＳＩＭカード２０が装着されている。このナノＳＩＭカード２０は下向きの姿勢となっているが、上述の通り、このナノＳＩＭカード２０はカードアダプタ１０から脱落せず、カードアダプタ１０への装着が維持されている。
【００５６】
カードコネクタ３０は、ハウジング３１とシェル３２とを備えている。ハウジング３１にはコンタクト３３が支持されている。また、ハウジング３１とシェル３２との間には、カードアダプタ１０が挿し込まれるアダプタ挿込開口３４が形成されている。このアダプタ挿込開口３４は、カードアダプタ１０の段差１８に対応する段部３４１と、その段部３４１を境にして開口の高さを減じた狭開口部３４２を有する形状の開口となっている。このため、カードアダプタ１０は、正しい姿勢にあるときのみ、アダプタ挿込開口３４に挿入される。すなわち、上下逆向きの姿勢にあるカードアダプタ１０をアダプタ挿込開口３４からカードコネクタ本体３０に挿し込もうとすると、カードアダプタ１０の挿込みの向きの先端がアダプタ挿込開口３４の入口に突き当たり、挿込みが阻止される。したがって、本実施形態のカードコネクタ１００によれば、カードアダプタ１０がカードコネクタ本体３０に挿し込まれたことをもって、カードアダプタ１０が正しい姿勢にあることが保証される。
【００５７】
ここで、アダプタ挿込開口３４の段部３４１は、シェル３２に形成されている。この段部３４１は、シェル３２の補強リブの役割を成し、シエル３２を強化している。
【００５８】
なお、ここでは、本発明にいう第１のカードおよび第２のカードの各一例としてナノＳＩＭカード２０およびマイクロＳＩＭカードを取り上げて説明した。本発明は、外形寸法が異なり接続パッド配置位置や役割等が共通な２種類のカードのうちの寸法の小さい方のカードを装着するカードアダプタを備えたカードコネクタとして広く適用することができる。
【００５９】
また、本発明は、必ずしも２種類のカードに共用されるカードコネクタである必要はない。アダプタに受容された１種類のカードのみが挿し込まれ、他の種類のカードが挿し込まれることのないカードコネクタに本発明を適用して、上下逆向きの姿勢での挿込みを阻止してもよい。
【符号の説明】
【００６０】
１０    カードアダプタ
１０Ａ  樹脂ハウジング
１０Ｂ  金属板
１１    カード受容部
１１１  底面
１２    板ばね
１３    カード保持部
１４    係止部
１４１  斜面
１５    低壁部
１８    段差
１９    薄肉部
２０    ナノＳＩＭカード
２１    第１面
２２    接続パッド
２３    後端面
２４    前端面
３０    カードコネクタ本体
３１    ハウジング
３２    シェル
３３    コンタクト
３４    アダプタ挿入開口
３４１  段部
３４２  狭開口部
【図１】
2018206634.tif 000003
【図２】
2018206634.tif 000004
【図３】
2018206634.tif 000005
【図４】
2018206634.tif 000006
【図５】
2018206634.tif 000007
【図６】
2018206634.tif 000008